(57)【特許請求の範囲】
【請求項１】
柔らかいケブラー繊維から成るテンションメンバと、複数の溝が設けられ前記テンションメンバに覆設されるスロットロッドと、前記スロットロッドの前記溝に収容される光ファイバと、前記光ファイバが収容された前記スロットロッドに被覆される外被とから形成される光ファイバケーブルを布設する際に用いられる光ファイバケーブル用牽引具において、
中空部を有する有底円筒形状の引張金具と、前記テンションメンバが嵌め込まれ且つ前記引張金具の前記中空部に嵌合される断面Ｃ形の金属スリーブと、前記引張金具の外周から前記中空部に向かって貫通可能に複数螺合され前記テンションメンバが嵌め込まれた前記金属スリーブを前記引張金具に固定させる螺合手段とを備え、
前記引張金具は先端部に引張用の穴が一体形成され、前記複数の螺合手段は前記引張金具の円周上に異なる方向で配置されると共に前記引張金具の前記中空部に嵌合された前記金属スリーブに嵌め込まれている前記テンションメンバの軸方向に沿って任意の間隔で設けられ、
前記テンションメンバに前記金属スリーブを被せた後、当該金属スリーブの割れ目から前記テンションメンバを硬化させる機能をもつ接着剤を流し込むことで前記テンションメンバが硬化され、前記金属スリーブの割れ目から流体状の合成樹脂を流し込むことで前記接着剤により硬化した前記テンションメンバと前記金属スリーブとが固着されることを特徴とする光ファイバケーブル用牽引具。
【請求項２】
前記金属スリーブの割れ目から前記流体状の合成樹脂を流し込む際に、前記光ファイバスロットケーブルの端末部において予め段剥ぎされた前記スロットロッドに前記流体状の合成樹脂が被覆されることを特徴とする請求項１記載の光ファイバケーブル用牽引具。
【請求項３】
前記螺合手段の前記金属スリーブと接する先端部は、平面に加工されていることを特徴とする請求項１又は請求項２記載の光ファイバケーブル用牽引具。
【請求項４】
柔らかいケブラー繊維から成るテンションメンバと、複数の溝が設けられ前記テンションメンバに覆設されるスロットロッドと、前記スロットロッドの前記溝に収容される光ファイバと、前記光ファイバが収容された前記スロットロッドに被覆される外被とから形成される光ファイバケーブルを布設する際に用いられ、断面Ｃ形の金属スリーブおよび有底円筒形状の引張金具を有する光ファイバケーブル用牽引具の組立方法において、
前記光ファイバケーブルの前記スロットロッドおよび前記テンションメンバを順次段剥ぎし、この段剥ぎされたテンションメンバに前記金属スリーブを嵌めて該金属スリーブの割れ目から接着剤を流し込み、前記接着剤により硬化した前記テンションメンバと前記金属スリーブとを固着するために該金属スリーブの割れ目から液体状の合成樹脂を流し込み、前記合成樹脂によって前記テンションメンバに固着された前記金属スリーブに前記引張金具を嵌合し、前記引張金具に予め複数螺合され該引張金具の中空部に貫通可能な螺合手段によって該引張金具と前記金属スリーブとを固定することを特徴とする光ファイバケーブル用牽引具の組立方法。
【請求項５】
前記接着剤により硬化した前記テンションメンバと前記金属スリーブとを固着するために該金属スリーブの割れ目から液体状の合成樹脂を流し込む際、該液体状の合成樹脂を段剥ぎされた前記スロットロッドにも被覆することを特徴とする請求項４記載の光ファイバケーブル用牽引具の組立方法。
【発明の詳細な説明】
【０００１】
【発明の属する技術分野】
この発明は、光ファイバケーブルを布設する際に用いられる光ファイバケーブル用牽引具およびその組立方法に関する。
【０００２】
【従来の技術】
従来から、光ファイバスロットケーブルあるいは光ファイバテープスロットケーブルを布設するための光ファイバケーブル用牽引具、所謂プーリングアイとして、例えば、特開平９−２３０１８７号公報に開示された光ファイバケーブル用プーリングアイ（以下、「プーリングアイＡ」という。）、特開平１０−６２６６７号公報に開示された光ケーブルの端末構造（以下、「プーリングアイＢ」という。）、実公平３−５５９２４号公報に開示された光ファイバケーブル用プーリングアイ（以下、「プーリングアイＣ」という。）が提案されている。
【０００３】
プーリングアイＡは図５に示すように、テンションメンバ１０１を備えた光ファイバケーブル１０２をプーリングアイＡ内に挿入した後圧縮スリーブ１０３のカシメ部１０４およびキャン１０５をそれぞれかしめることにより、該光ファイバケーブル１０２とプーリングアイＡとを固定させる構造で、メッセンジャワイヤーに連結するためのアイナット１０６が圧縮スリーブ１０３の先端に螺合されている。また、プーリングアイＢは図６に示すように、テンションメンバ１１１を備えた光ケーブル１１２の端末から所定長露出して引き出されたテンションメンバ１１１に少なくとも複数箇所カシメ１１３Ａ、１１３Ｂ、１１３Ｃによって固着され、少なくとも隣り合うカシメの加圧方向がそれぞれ異なっている構造のものである。さらに、プーリングアイＣは図７に示すように、第１締付けねじ１２１により先端が固定された光ファイバケーブル１２２のテンションメンバ１２３を、第２締付けねじ１２４によってプラグ１２５の凹部１２６内に撓ませてテンションメンバ１２３を把持する構造で、メッセンジャワイヤーに連結するためのアイナット１２７がプーリングアイＣの先端に螺合されている。
【０００４】
これらプーリングアイＡ、Ｂ、Ｃは、光ファイバケーブルを地下のケーブル布設管に引き通すために、地上の一方のマンホール穴から他方のマンホール穴に引入れ用ワイヤーを延線し、この延線された引入れ用ワイヤーを他方のマンホール穴に待機させている光ファイバケーブルの接続端部に取り付けたプーリングアイのアイナット（ワイヤー引通し穴）に掛け、一方のマンホール穴からワイヤー端部を引張ることにより、光ファイバケーブルを地下のケーブル布設管に布設することができる。
【０００５】
この布設工事においては、プーリングアイの破断張力規格が規定されており、光ファイバケーブルのテンションメンバの構成が単鋼線の場合には張力３００Ｋｇ以上、鋼撚線の場合には張力４００Ｋｇ以上、ガラス繊維、ポリアラミド繊維、炭素繊維等の繊維を種々のプラスチックスのマトリックスで固めて成形した複合材料であるＦＲＰ（Fiber Reinforced Plastics）の場合には張力４００Ｋｇ以上にしなければならない。このような範囲の張力に対しては、プーリングアイが光ファイバケーブルのテンションメンバから外れないようにしなければならない。
【０００６】
このような破断張力規格を満たすために、プーリングアイＡ、Ｂでは、大型の油圧プレス等を使用して規格に定められた張力に耐え得る圧縮トルクで、プーリングアイをテンションメンバにカシメて固定している。また、プーリングアイＣでは、プラグおよび締付ねじとテンションメンバとの間に強力な摩擦力を発生させることにより、プーリングアイをテンションメンバに固定している。
【０００７】
【発明が解決しようとする課題】
しかしながら、このようなプーリングアイＡ、Ｂでは、大きな圧縮トルクでカシメるために、専用の大型の油圧プレス等が必要なことから、布設工事現場でプーリングアイを取り付けることは実質不可能となるので、作業性に難点があった。また、このプーリングアイＡ、Ｂにおいては、光ファイバケーブルを固定すると、その接続部位が光ファイバケーブル径より実質無視できない程度に大径となるので、狭いケーブル布設管内に引き通せなくなる。
【０００８】
また、プーリングアイＣでは、光ファイバケーブルのテンションメンバを、第２締付けねじによってプラグの凹部内に撓ませてテンションメンバを把持する構造なので、該テンションメンバに無理な応力がかかり、布設工事中に破断する虞があった。
【０００９】
また、プーリングアイＡ、Ｃでは、アイナットとプーリングアイとが一体化されていないので、光ファイバケーブルの端部を傷つけてしまうという難点があった。
【００１０】
さらに、テンションメンバがＦＲＰの場合には、曲げモーメントに弱く脆いために、何れのプーリングアイを用いても十分な破断張力を得ることができなかった。
【００１１】
本発明は、このような従来の難点を解決するためになされたもので、接続部位における引張力に対する接続強度や、曲げモーメントに対する曲げ応力を強くすることができる光ファイバケーブル用牽引具およびその組立方法を提供することを目的とする。
【００１２】
【課題を解決するための手段】
このような目的を達成する本発明の光ファイバケーブル用牽引具は、柔らかいケブラー繊維から成るテンションメンバと、複数の溝が設けられテンションメンバに覆設されるスロットロッドと、スロットロッドの溝に収容される光ファイバと、光ファイバが収容されたスロットロッドに被覆される外被とから形成される光ファイバケーブルを布設する際に用いられる光ファイバケーブル用牽引具において、中空部を有する有底円筒形状の引張金具と、テンションメンバが嵌め込まれ且つ引張金具の中空部に嵌合される断面Ｃ形の金属スリーブと、引張金具の外周から中空部に向かって貫通可能に複数螺合されテンションメンバが嵌め込まれた金属スリーブを引張金具に固定させる螺合手段とを備え、引張金具は先端部に引張用の穴が一体形成され、複数の螺合手段は引張金具の円周上に異なる方向で配置されると共に引張金具の中空部に嵌合された金属スリーブに嵌め込まれているテンションメンバの軸方向に沿って任意の間隔で設けられ、テンションメンバに金属スリーブを被せた後、当該金属スリーブの割れ目からテンションメンバを硬化させる機能をもつ接着剤を流し込むことでテンションメンバが硬化され、金属スリーブの割れ目から流体状の合成樹脂を流し込むことで接着剤により硬化したテンションメンバと金属スリーブとが固着されるものである。
【００１３】
この光ファイバケーブル用牽引具によれば、金属スリーブに柔らかいケブラー繊維から成るテンションメンバを硬化させた状態で固定させることができるので、接着剤により硬化したテンションメンバと引張金具とを金属スリーブを介して確実に固定させることができる。また、複数の螺合手段は引張金具の円周上に異なる方向で配置されると共に引張金具に嵌合されたテンションメンバの軸方向に沿って任意の間隔で設けられているので、引張金具の中空部に嵌合されたテンションメンバに対して適切な把持力を加えることができると共に、局部的に無理な締付トルクをかけなくても十分な破断張力を得ることができる。また、螺合手段は引張金具に貫通可能に螺合されているだけなので、光ファイバケーブルの径と実質的に同一な径にすることができる。
【００１４】
また、本発明の光ファイバケーブル用牽引具においては、前記金属スリーブの割れ目から前記流体状の合成樹脂を流し込む際に、前記光ファイバスロットケーブルの端末部において予め段剥ぎされた前記スロットロッドに前記流体状の合成樹脂が被覆されるものである。これにより、収容されている光ファイバを保護することができる。
【００１５】
また、本発明の光ファイバケーブル用牽引具において螺合手段の金属スリーブと接する先端部は、平面に加工されている。これにより、螺合手段を金属スリーブに締め付ける際に、該金属スリーブに傷を付けることなく十分な締付トルクを付与できる。
【００１６】
また、本発明の光ファイバケーブル用牽引具の組立方法は、柔らかいケブラー繊維から成るテンションメンバと、複数の溝が設けられテンションメンバに覆設されるスロットロッドと、スロットロッドの溝に収容される光ファイバと、光ファイバが収容されたスロットロッドに被覆される外被とから形成される光ファイバケーブルを布設する際に用いられ、断面Ｃ形の金属スリーブおよび有底円筒形状の引張金具を有する光ファイバケーブル用牽引具の組立方法において、光ファイバケーブルのスロットロッドおよびテンションメンバを順次段剥ぎし、この段剥ぎされたテンションメンバに金属スリーブを嵌めて該金属スリーブの割れ目から接着剤を流し込み、接着剤により硬化したテンションメンバと金属スリーブとを固着するために該金属スリーブの割れ目から液体状の合成樹脂を流し込み、合成樹脂によってテンションメンバに固着された金属スリーブに引張金具を嵌合し、引張金具に予め複数螺合され該引張金具の中空部に貫通可能な螺合手段によって該引張金具と金属スリーブとを固定するものである。
【００１７】
この光ファイバケーブル用牽引具の組立方法によれば、柔らかいケブラー繊維から成るテンションメンバを接着剤で硬化させると共に、この硬化したテンションメンバに金属スリーブを嵌めた状態で合成樹脂にて固着させるので、金属スリーブに嵌合される引張金具を螺合手段によって該金属スリーブに対して確実に固定させることができる。
【００１８】
また、本発明の光ファイバケーブル用牽引具の組立方法においては、接着剤により硬化したテンションメンバと金属スリーブとを固着するために該金属スリーブの割れ目から液体状の合成樹脂を流し込む際、該液体状の合成樹脂を段剥ぎされたスロットロッドにも被覆する。これにより、収容されている光ファイバを保護することができる。
【００１９】
【発明の実施の形態】
以下、本発明の光ファイバケーブル用牽引具およびその組立方法の実施の一形態について図面を参照して説明する。
【００２０】
本発明の光ファイバケーブル用牽引具は、光ファイバスロットケーブルを布設するためのものである。この光ファイバスロットケーブルは図２に示すように、ＦＲＰ（Fiber Reinforced Plastics）であるアラミド繊維、例えば米国デュポン社により開発されたケブラー繊維から成るテンションメンバ２１と、複数の溝２２が設けられテンションメンバ２１に覆設されるスロットロッド２３と、スロットロッド２３の溝２２に収容される何本かの光ファイバ心線２４と、光ファイバ心線２４が収容されたスロットロッド２３に被覆される外被２５とから形成されている。
【００２１】
このような光ファイバスロットケーブル２０を布設するための光ファイバケーブル用牽引具は図１（ａ）、（ｂ）、（ｃ）に示すように、断面Ｃ形の金属スリーブ２、有底円筒形状の引張金具３、および熱収縮チューブ４を有している。
【００２２】
金属スリーブ２はテンションメンバ２１に嵌めるもので、例えばステンレスのものが好適である。この金属スリーブ２には引張金具３の中空部３０が遊びをもった状態で嵌合され、この引張金具３には、例えば３つの螺合手段５が設けられている。螺合手段５は、引張金具３の円周上に異なる方向で配置されると共に引張金具３に嵌合されたテンションメンバ２１の軸方向に沿って任意の間隔で設けられている。例えば、引張金具３に嵌合されたテンションメンバ２１の軸線方向に対して対向配置される如く設けられ、その軸線方向の配列は、隣接する螺合手段５の螺合方向が１８０度異なる如く順次配列されている、即ち、引張金具３に互い違いに対向配置されるように螺刻された雌ねじ６と、この雌ねじ６に捩じ込まれる止めねじ７とから成るものである。雌ねじ６は引張金具３の外周から中空部３０に向かって貫通され、また、止めねじ７は金属スリーブ２と接する先端部が平面に加工されている。これにより、止めねじ７を金属スリーブ２に締め付ける際に、該金属スリーブ２に傷を付けることなく十分な締付トルクを付与できる。なお、各止めねじ７の締付時には、局部的に無理な締付トルクがかからないように、トルクレンチを用いてすべて規定トルクで締め付ける。これにより、十分な破断張力を得ることができる。したがって、テンションメンバ２１に曲げ応力を発生させずに該テンションメンバ２１を強固に把持する固定力を強めることができる。また、引張金具３は先端部に引張用の穴８が一体形成されるように穿設されている。なお、熱収縮チューブ４は、組立てられた光ファイバケーブル用牽引具１と光ファイバスロットケーブル２０とを防水するためのもので、例えばポリエチレン製のチューブが好適である。
【００２３】
次に、このような金属スリーブ２、引張金具３、および熱収縮チューブ４を有する光ファイバケーブル用牽引具１の組立方法について説明する。
【００２４】
まず、光ファイバスロットケーブル２０の端末部において、スロットロッド２３およびテンションメンバ２１を順次段剥ぎする。この段剥ぎされたテンションメンバ２１に金属スリーブ２を嵌めて、この金属スリーブ２の割れ目から接着剤を流し込む。これにより、柔らかいケブラー繊維から成るテンションメンバ２１を硬化させることができる。この接着剤により硬化したテンションメンバ２１と金属スリーブ２とを固着するために、金属スリーブ２の割れ目から流体状の合成樹脂、例えばエポキシ樹脂２６を流し込む。この際、光ファイバスロットケーブル２０の端末部において予め段剥ぎされたスロットロッド２３全体に、エポキシ樹脂２６を被覆するとよい。これにより、スロットロッド２３に収容された光ファイバ心線２４を保護することができる。
【００２５】
このエポキシ樹脂２６によってテンションメンバ２１に固着された金属スリーブ２に、引張金具３を嵌合し、引張金具３に穿設された３つの雌ねじ６に止めねじ７を入れて規定の締付トルクにて捩じ込んで、引張金具３と金属スリーブ２とを確実に固定させる。なお、折れ曲がりと防水処理のために、引張金具３と光ファイバスロットケーブル２０のスロットロッド２３との境目にレジンパテ２７を充填する。
【００２６】
最後に、金属スリーブ２が固定された光ファイバスロットケーブル２０の端末部の外被２５から引張金具３の一部位、例えば３つの螺合手段４を全て覆うことができるような位置までに亘って熱収縮チューブ４を被覆させる。
【００２７】
なお、本発明の光ファイバケーブル用牽引具およびその組立方法の実施の一形態によれば、光ファイバスロットケーブルのテンションメンバがケブラー繊維のものを用いて説明したが、これに限らず、単鋼線でもよい。このテンションメンバが単鋼線の光ファイバスロットケーブルを、光ファイバケーブル用牽引具に固定するには図３に示すように、光ファイバケーブル用牽引具５１の引張金具５２に設けられる螺合手段５３を、当該引張金具５１に対して対向配置させる。具体的には、螺合手段５３は、引張金具５１に対向配置され且つ引張金具５２に嵌合されたテンションメンバ６１の軸線方向に対する配列が螺合手段５３の対向配置関係を保持する如く任意の間隔で複数箇所に設けられている。なお、螺合手段５３は上述した光ファイバケーブル用牽引具１と同様に、引張金具５２に螺刻された雌ねじ５４と、この雌ねじ５４に捩じ込まれる止めねじ５５とから成り、雌ねじ５４は引張金具５２の外周から中空部５６に向かって貫通され、また、止めねじ５５は、テンションメンバ６１に接する先端部が平面に加工されている。
【００２８】
このような光ファイバケーブル用牽引具５１によれば、対向配置されている螺合手段５３によって、単鋼線のテンションメンバ６１に曲げ応力を発生させずに直接、止めねじ５５で締め付けることができるので、引張金具５２と光ファイバスロットケーブル６０のテンションメンバ６１とを強固に固定することができる。
【００２９】
また、光ファイバスロットケーブルのテンションメンバは鋼撚線でもよい。このテンションメンバが鋼撚線の光ファイバスロットケーブルを、光ファイバケーブル用牽引具に固定するには図４に示すように、螺合手段７４が、引張金具７２に嵌合されたテンションメンバ８１の軸線方向に対して対向配置される如く設けられ、その軸線方向の配列は、隣接する螺合手段７４の螺合方向が１８０度異なる如く順次配列されている。なお、螺合手段７４は上述した光ファイバケーブル用牽引具１と同様に、引張金具７２に螺刻された雌ねじ７５と、この雌ねじ７５に捩じ込まれる止めねじ７６とから成り、雌ねじ７５は引張金具７２の外周から中空部７３に向かって貫通され、また、止めねじ７６は、テンションメンバ８１に接する先端部が平面に加工されている。
【００３０】
このような光ファイバケーブル用牽引具７１によれば、光ファイバスロットケーブル８０のテンションメンバ８１がばらけることから、止めねじ７６の締付トルクを単鋼線の場合より弱くしても、引張金具７２とテンションメンバ８１とを強固に固定することができる。
【００３１】
さらに、本発明の光ファイバケーブル用牽引具およびその組立方法の実施の一形態によれば、スロットロッドに光ファイバ心線が収容された光ファイバスロットケーブルを用いていたが、これに限らず、複数のシングルモードファイバを横一列に並べて硬化樹脂で一体化した光ファイバテープが、スロットロッドに収容された光ファイバテープスロットケーブルにも用いることができる。
【００３２】
【発明の効果】
以上、説明したように、本発明の光ファイバケーブル用牽引具および組立方法によれば、テンションメンバの種類に応じて引張金具に嵌合されたテンションメンバあるいは金属スリーブに対して適切な把持力を加えることができ、而も局部的に無理な締付トルクをかけなくても十分な破断張力を得ることができるので、接続部位における引張力に対する接続強度や、曲げモーメントに対する曲げ応力を強くすることができる。また、螺合手段は引張金具に貫通可能に螺合されているだけなので、光ファイバケーブルの径と実質的に同一な径にすることができる。したがって、狭いケーブル布設管内にも引き通すことができる。
【図面の簡単な説明】
【図１】  本発明の光ファイバケーブル用牽引具の実施の一形態を示す図で、（ａ）は全体の斜視図、（ｂ）は断面図。
【図２】  本発明の光ファイバケーブル用牽引具で牽引される光ファイバスロットケーブルの構造を示す断面図。
【図３】  本発明の光ファイバケーブル用牽引具の他の実施の一形態を示す断面図。
【図４】  本発明の光ファイバケーブル用牽引具の他の実施の一形態を示す断面図。
【図５】  従来の光ファイバケーブル用牽引具を示す側面図。
【図６】  従来の光ファイバケーブル用牽引具を示す断面図。
【図７】  従来の光ファイバケーブル用牽引具を示す断面図。
【符号の説明】
１、５１、７１・・・・・光ファイバケーブル用牽引具
２・・・・・・金属スリーブ
３、５２、７２・・・・・引張金具
４・・・・・熱収縮チューブ
５、５３、７４・・・・・螺合手段
２０、６０、８０・・・・・光ファイバスロットケーブル
２１、６１、８１・・・・・テンションメンバ
２２・・・・・溝
２３・・・・・スロットロッド
２４・・・・・光ファイバ心線
２６・・・・・エポキシ樹脂（合成樹脂）
【図１】
0004051479.tif 000002
【図２】
0004051479.tif 000003
【図３】
0004051479.tif 000004
【図４】
0004051479.tif 000005
【図５】
0004051479.tif 000006
【図６】
0004051479.tif 000007
【図７】
0004051479.tif 000008